(57)【特許請求の範囲】
【請求項１】
内視鏡に配設された観察窓表面に向けて流体を噴出して洗浄するブロック状のノズルヘッドを備えた内視鏡用洗浄ノズルであって、
前記内視鏡に内蔵される管路から送られた流体が流入される孔断面が略真円形状の流路を備えた管状の流入管路外郭部と、
前記流路に連通して前記流体の流れ方向を前記観察窓表面に向けた方向へ変換する方向変換流路を備えた方向変換流路外郭部と、
前記方向変換流路に連通して前記ノズルヘッドに配設される流体噴出口から前記観察窓表面に向けて噴出する前記流体の流れを整流する孔断面が扁平形状の整流路を備えた整流路外郭部と、
前記流体噴出口の開口部周囲に平面状または曲面状に形成された面取り部と、
を具備し、
前記方向変換流路外郭部および前記整流路外郭部における前記内視鏡の表面から露出する部分の肉厚を前記流入管路外郭部の肉厚よりも厚く、且つ前記流路から前記整流路に向けて滑らかに扁平するよう孔断面を変化させた前記方向変換流路を形成して、当該方向変換流路の前記整流路側の孔断面が最小面積となるように焼結成型したことを特徴とする内視鏡用洗浄ノズル。
【請求項２】
前記方向変換流路の最小面積を有する前記孔断面の位置を前記流入管路外郭部の長手軸に直交する断面に対して、前記整流路側に４５度以上の傾けた角度位置に設けたことを特徴とする請求項１に記載の内視鏡用洗浄ノズル。
【請求項３】
前記方向変換流路を前記流路と前記整流路の各孔軸に直交すると共に、前記流体噴出口の開口面に平行な軸回りに変換させて当該軸に沿った方向へ滑らかに拡がる扁平形状に形成したことを特徴とする請求項１または請求項２に記載の内視鏡用洗浄ノズル。
【請求項４】
前記整流路の扁平形状の孔断面が前記流体噴出口に向けて長手方向に滑らかに拡がるように形成したことを特徴とする請求項１から請求項３のいずれか１項に記載の内視鏡用洗浄ノズル。
【請求項５】
前記先端部への組付けの際に前記管路が接続される管状の保護部材に前記流入管路外郭部が挿嵌され、前記保護部材の内周面と前記流路の接合部が段差なく一致するテーパ面を前記流入管路外郭部の前記保護部材との接続側端部に形成したことを特徴とする請求項１から請求項４のいずれか１項に記載の内視鏡用洗浄ノズル。
【請求項６】
射出成型の金型における材料の注入口を略真円形状の前記流路が配設された前記流入管路外郭部の外周部位置に配置したことを特徴とする請求項１から請求項５のいずれか１項に記載の内視鏡用洗浄ノズル。
【請求項７】
前記流入管路外郭部の外周部に内方へ凹設された凹部を形成し、当該凹部の平面に前記注入口を配置したことを特徴とする請求項６に記載の内視鏡用洗浄ノズル。
【発明の詳細な説明】
【技術分野】
【０００１】
本発明は、内視鏡の観察窓の表面に流体を供給して洗浄する内視鏡用洗浄ノズルに関する。
【背景技術】
【０００２】
周知のように、医療分野において広く利用されている内視鏡は、被検体内に挿入される細長な挿入部を有する。このような内視鏡は、挿入部の先端部に観察窓が配設されている。
【０００３】
そして、先端部の観察窓近傍には、この観察窓の表面に付着して観察性を阻害する汚れなどを除去するために流体を噴射して洗浄するための内視鏡用洗浄ノズルが配設されているものがある。
【０００４】
このような内視鏡用洗浄ノズルについて、例えば、特許文献１または特許文献２に開示されている。例えば、特許文献１には、ステンレスなどの金属管体を扁平形成し、流体が通る流路の内面に金張り層を加工形成した観察窓洗浄用ノズルが開示されている。この従来の洗浄用ノズルでは、上記流路が連続的に滑らかな曲面によって形成される。  
また、例えば、特許文献２には、コアピンとスライドの金型によって内部の流路を成型したノズルが開示されている。
【先行技術文献】
【特許文献】
【０００５】
【特許文献１】特開２００５−１１１４８０号公報
【特許文献２】特開平１１−１９０２９号公報
【発明の概要】
【発明が解決しようとする課題】
【０００６】
しかしながら、特許文献１に記載の従来の観察窓洗浄用ノズル（内視鏡用洗浄ノズル）は、薄肉の金属管体を湾曲加工して形成しているため、剛性が低いという問題がある。そのため、従来の観察窓洗浄用ノズルは、外部からの応力により変形し易く、内部の流路の形状が変形すると、噴出する流体の乱流（剥離）が生じたり、噴出できなくなってしまうおそれがある。
【０００７】
一方、特許文献２に記載の従来のノズル（内視鏡用洗浄ノズル）は、例えば、図１５に示すように、ブロック形状として、特許文献１の観察窓洗浄用ノズルよりも剛性を高く形成することができるが、コアピンとスライドとの２つの金型により、例えば、図１６に示すように、略Ｌ字状に形成された流路１０２のため、噴出する流体の乱流（剥離）が生じてしまう。
【０００８】
このように、従来の内視鏡用洗浄ノズルでは、内部の流路の形状が変形したり、略Ｌ字状に形成された流路であったりすると、噴出する流体の乱流（剥離）が生じてしまい、ねらい通りに観察窓の洗浄が行なえないという問題があった。
【０００９】
さらに、従来の内視鏡用洗浄ノズルでは、内部の流路の形状が変形したり、略Ｌ字状に形成された流路であったりすると、内部の流路に残水が生じ易く、送水から送気に切り替えたときに、観察窓に向けて水滴が噴出され水切れが悪いという問題もあった。
【００１０】
そこで、本発明は上記問題に鑑みてなされたもので、十分な剛性を備えると共に、水切れが良く確実に観察窓の洗浄が行なえる内視鏡用洗浄ノズルを提供することを目的とする。
【課題を解決するための手段】
【００１１】
本発明は、内視鏡に配設された観察窓表面に向けて流体を噴出して洗浄するブロック状のノズルヘッドを備えた内視鏡用洗浄ノズルであって、前記内視鏡に内蔵される管路から送られた流体が流入される孔断面が略真円形状の流路を備えた管状の流入管路外郭部と、前記流路に連通して前記流体の流れ方向を前記観察窓表面に向けた方向へ変換する方向変換流路を備えた方向変換流路外郭部と、前記方向変換流路に連通して前記ノズルヘッドに配設される流体噴出口から前記観察窓表面に向けて噴出する前記流体の流れを整流する孔断面が扁平形状の整流路を備えた整流路外郭部と、前記流体噴出口の開口部周囲に平面状または曲面状に形成された面取り部と、を具備し、前記方向変換流路外郭部および前記整流路外郭部における前記内視鏡の表面から露出する部分の肉厚を前記流入管路外郭部の肉厚よりも厚く、且つ前記流路から前記整流路に向けて滑らかに扁平するよう孔断面を変化させた前記方向変換流路を形成して、前記整流路側の孔断面積が最小面積となるように焼結成型したことを特徴とする内視鏡用洗浄ノズル。
【発明の効果】
【００１２】
本発明の内視鏡用洗浄ノズルは、十分な剛性を備えると共に、水切れが良く確実に観察窓の洗浄が行なえるという効果がある。
【図面の簡単な説明】
【００１３】
【図１】本発明の一態様の実施形態に係り、内視鏡システムの全体構成を示す斜視図
【図２】同、挿入部の先端部の構成を示す正面図
【図３】同、図２のＩＩＩ−ＩＩＩ断面図
【図４】同、内視鏡用洗浄ノズルの構成を示す側面図
【図５】同、内視鏡用洗浄ノズルの構成を示す正面図
【図６】同、内視鏡用洗浄ノズルの構成を示す背面図
【図７】同、内視鏡用洗浄ノズルの構成を示す斜視図
【図８】同、図５のＶＩＩＩ−ＶＩＩＩ断面図
【図９】同、図８のＩＸ−ＩＸ断面図
【図１０】同、図８のＸ−Ｘ断面図
【図１１】同、図８のＸＩ−ＸＩ断面図
【図１２】同、図８のＸＩＩ−ＸＩＩ断面図
【図１３】同、図８のＸＩＩＩ−ＸＩＩＩ断面図
【図１４】同、内視鏡用洗浄ノズルの構成を示す断面図
【図１５】同、従来の内視鏡用洗浄ノズルの構成を示す正面図
【図１６】同、図１５のＸＶＩ−ＸＶＩ断面図
【発明を実施するための形態】
【００１４】
以下、本発明である内視鏡用洗浄ノズルについて説明する。なお、以下の説明において、各実施の形態に基づく図面は、模式的なものであり、各部分の厚みと幅との関係、夫々の部分の厚みの比率などは現実のものとは異なることに留意すべきであり、図面の相互間においても互いの寸法の関係や比率が異なる部分が含まれている場合がある。
【００１５】
先ず、図面を参照して本発明の形態を説明する。図１から図１４は本発明の一態様の実施の形態に係わり、図１は内視鏡システムの全体構成を示す斜視図、図２は挿入部の先端部の構成を示す正面図、図３は図２のＩＩＩ−ＩＩＩ断面図、図４は内視鏡用洗浄ノズルの構成を示す側面図、図５は内視鏡用洗浄ノズルの構成を示す正面図、図６は内視鏡用洗浄ノズルの構成を示す背面図、図７は内視鏡用洗浄ノズルの構成を示す斜視図、図８は図５のＶＩＩＩ−ＶＩＩＩ断面図、図９は図８のＩＸ−ＩＸ断面図、図１０は図８のＸ−Ｘ断面図、図１１は図８のＸＩ−ＸＩ断面図、図１２は図８のＸＩＩ−ＸＩＩ断面図、図１３は図８のＸＩＩＩ−ＸＩＩＩ断面図、図１４は内視鏡用洗浄ノズルの構成を示す断面図である。
【００１６】
図１に示す内視鏡システム１は、内視鏡２と、光源装置５と、ＣＣＵ（カメラコントロールユニット）であるビデオプロセッサ６と、モニタ７と、を有して主要部が構成さえている。  
同図に示すように、内視鏡２は、観察対象部位へ挿入する細長の中空状長尺部材としての挿入部１１と、この挿入部１１の基端部に連設された操作部１２と、この操作部１２の側面より延設されたユニバーサルケーブル１３と、このユニバーサルケーブル１３の延出端部に設けられた光源コネクタ１４と、この光源コネクタ１４の側部から延出する電気ケーブル１５と、この電気ケーブル１５の延出端に配設された電気コネクタ１６と、を有して構成されている。なお、光源コネクタ１４は、光源装置５に着脱自在に接続される。そして、電気コネクタ１６は、ビデオプロセッサ６に着脱自在に接続される。
【００１７】
挿入部１１は、先端側に先端部２１を有し、この先端部２１の後部に湾曲自在な可動部としての湾曲部２２が連続されている。さらに、この湾曲部２２の後部に軟性の管状の部材より形成される長尺で可撓性を有する可撓管部２３が連設されている。
【００１８】
操作部１２は、操作把持部を構成する操作部本体２０と、挿入部１１の可撓管部２３の基端側に接続される折れ止め部２４と、この折れ止め部２４の近傍に配設された挿入部１１内の挿通チャンネルの開口部となる処置具挿通口２５と、を有して構成されている。
【００１９】
操作部本体２０には、挿入部１１の湾曲部２２を湾曲操作するための湾曲操作ノブ２６が回動自在に配設されるとともに、各種内視鏡機能のスイッチ類２８、２９などが設けられている。なお、湾曲操作ノブ２６は、湾曲部２２を上下方向に湾曲操作するためのＵＤ湾曲操作ノブ２６ａと、湾曲部２２を左右方向に湾曲操作するためのＲＬ湾曲操作ノブ２６ｂとを有し、これらが重畳配設されている。また、各湾曲操作ノブ２６ａ、２６ｂの回動を停止／解除するときに操作する解除ノブ２７がＲＬ湾曲操作ノブ２６ｂの中心部に設けられている。
【００２０】
光源装置５は、内視鏡２内に設けられた図示しない上述のライトガイドに、照明光を供給するものである。すなわち、本実施形態の内視鏡２のユニバーサルケーブル１３、操作部１２、および、挿入部１１内には、ライトガイドが配設されており、このライトガイドを介して、光源装置５は先端部２１の照明窓を構成する、後述の照明光学系まで照明光を供給する。この照明光は、照明光学系によって発散されて被検部位を照射する。
【００２１】
ビデオプロセッサ６は、内視鏡２が撮像した画像データを映像信号化して、モニタ７に表示させる。さらに、ビデオプロセッサ６は、内視鏡２の操作部１２に配設されたスイッチ類２９の操作信号が入力され、これら信号に基づいて、光源装置５を制御したり、図示しないコンプレッサを駆動したり、または図示しない送水タンクにエアーを送ったりして、エアー、または送水タンク内の洗浄水である水、生理食塩水などを挿入部１１の送気送水チャンネルを介して先端部２１まで送気送水制御する装置も構成している。なお、スイッチ類２８は、送気送水の際に、ユーザにより操作される機械的スイッチである。
【００２２】
先端部２１の先端面には、図２に示すように、複数、ここでは３つの照明光学系である照明窓３１と、処置具などが導出されるチャンネル開口３２と、前方送水チャンネル開口３３と、対物光学系である観察窓３４と、この観察窓３４の表面に向けて液体または気体（さらには、気液混合流体）を噴出する内視鏡用洗浄ノズル５０と、が配設されている。
【００２３】
また、先端部２１内には、図３に示すように、観察窓３４の後方に複数の対物光学系である対物レンズ３５が並設され、これら観察窓３４および対物レンズ３５を保持するレンズ保持枠３６が内蔵されている。このレンズ保持枠３６の後方には、ＣＣＤ、ＣＭＯＳなどのイメージセンサを有する撮像ユニット３７が配設されている。
【００２４】
先端部２１は、金属ブロックの先端硬質部４０を備えており、この先端硬質部４０の先端面側に樹脂製の先端カバー３０が被せられている。先端硬質部４０には、レンズ保持枠３６と、内視鏡用洗浄ノズル５０が挿通して固着される管状のノズル保護部材４１と、金属パイプである流体管４２と、が挿嵌されている。なお、流体管４２の基端部には、光源装置流体供給用の送気送水チャンネルを構成するチューブ４３が接続されている。また、先端硬質部４０の基端には、挿入部１１の外皮４４に被覆される管状部材４５が外嵌されている。
【００２５】
ここで、本実施の形態の内視鏡用洗浄ノズル５０について、図４から図１４に基づいて、以下に詳しく説明する。  
内視鏡用洗浄ノズル５０は、例えば、ステンレスの金属粉体と樹脂バインダを混合した射出成型品を脱脂／焼結するメタルインジェクション（ＭＩＭ）製法で加工成型したもので、図４から図７に示すように、先端部２１内に挿嵌されて固着される管状部５１と、この管状部５１に連設されて、先端部２１の先端面に露出されて配置される外形ブロック形状のノズルヘッド５２と、を有して構成されている。
【００２６】
管状部５１は、外周部の一部分に凹部５３が形成されており、この凹部５３の平面部に金型における射出成型時の材料のゲートとなる注入口５４が配置される。つまり、管状部５１は、管状の外形稜線よりも減肉（内方）側に平面を有する凹部５３を設けて、その凹部５３の平面に製造時に金型を介して材料が注入される注入口５４が位置する。
【００２７】
また、ノズルヘッド５２の一側部には、先端部２１の観察窓３４の表面に向けて流体を噴出する流体噴出口であるノズル開口部５５が形成されている。このノズル開口部５５は、図５および図７に示すように、その開口周囲に平面状のテーパまたは円弧状のフィレットとする面取り部５５ａが形成されている。
【００２８】
また、内視鏡用洗浄ノズル５０は、図８に示すように、管状部５１の一部分を構成する流入管路外郭部６１（図中破線ａ−ｂ間）と、この流入管路外郭部６１に連設され、管状部５１およびノズルヘッド５２の一部を構成する方向変換流路外郭部６２（図中破線ｂ−ｃ間）と、この方向変換流路外郭部６２に連設され、ノズルヘッド５２の一部を構成する整流路外郭部６３（図中破線ｂ−ｃ間）と、を有している。
【００２９】
流入管路外郭部６１は、挿入部１１に配設されるチューブ４３および先端部２１に挿嵌する流体管４２を介して送られた流体が流入される流路６４が内部に形成されている。この流路６４は、孔断面が、図９に示すように、略真円形状である。なお、流路６４は、孔断面が略真円状であって、その孔軸が略直線状のストレート孔である。
【００３０】
また、流入管路外郭部６１の流体の流入部となる開口端部分の内周面には、テーパ面６１ａが形成されている。流路６４のテーパ面６１ａは、流入管路外郭部６１の端部の開口に向かって所定の角度θ２（図１４参照）を有して拡がるように形成されている。
【００３１】
方向変換流路外郭部６２は、流入管路外郭部６１の流路６４に連通し、先端部２１に配設される観察窓３４の表面に向けて流体の流れを変換する方向転換路である方向変換流路６５が内部に形成されている。この方向変換流路外郭部６２は、内視鏡２に組付けた際に、内視鏡２の表面となる先端部２１の表面（先端カバー３０表面）から露出する部分全ての肉厚が流入管路外郭部６１の肉厚よりも厚くなっている。
【００３２】
そして、整流路外郭部６３は、方向変換流路外郭部６２の方向変換流路６５に連通してノズル開口部５５から先端部２１の観察窓３４の表面に向けて噴出する流体の流れを整流する整流路６６が内部に形成されている。この方向変換流路６５は、その孔断面がノズル開口部５５に向けて段差なく連続的に滑らかに横方向に拡がり、両端部分が円弧状で細長な扁平形状に変化している。つまり、方向変換流路６５は、扁平形状の孔断面の長手方向がノズル開口部５５に向けて段差なく連続的に滑らかに拡がる形状を有し、観察窓３４に向けて孔軸が略直線状となっている。この整流路外郭部６３も、方向変換流路外郭部６２の一部と同様に、先端部２１の表面から露出するように内視鏡２に組付けられ、その肉厚が流入管路外郭部６１の肉厚よりも厚くなっている。
【００３３】
なお、方向変換流路外郭部６２の方向変換流路６５は、図１０から図１３に示すように、流入管路外郭部６１の略真円状の流路６４から整流路外郭部６３の扁平形状の整流路６６に向けて孔断面が、徐々に略真円状から楕円状、さらに両端部分が円弧状で細長な扁平形状となるように段差なく連続的に滑らかに変形する湾曲孔である。この方向変換流路６５は、流入管路外郭部６１の流路６４と整流路外郭部６３の整流路６６の各孔軸に直交し、ノズル開口部５５の開口面に平行な図７に点Ｏで示す軸に沿って拡がるように扁平され、この軸Ｏ回りに湾曲するように形成されている。
【００３４】
そして、方向変換流路６５は、図１３に示す断面位置において、その断面積が最小となっている。この方向変換流路６５における最小断面積となる位置（図１３に示す位置）は、直線状に形成された流入管路外郭部６１の長手軸に直交する面、つまり、例えば、図９に示した断面に対して、整流路６６の開口部となるノズル開口部５５側（図８の紙面に向かった上方側）に４５度以上の角度θ１で傾斜するよう設定されている。
【００３５】
以上のように構成された、本実施の形態の内視鏡用洗浄ノズル５０は、上述したように、方向変換流路外郭部６２および整流路外郭部６３の内視鏡２の先端部２１の表面から露出する部分の肉厚を流入管路外郭部６１よりも厚く形成することで、外部からの応力により変形し難い十分な剛性（強度）を備えた構成となる。
【００３６】
この構成により、内視鏡用洗浄ノズル５０は、内視鏡２の表面に露出する方向変換流路外郭部６２および整流路外郭部６３が十分な剛性を備えた構成となっており、これらの内部に形成された、方向変換流路６５と整流路６６の形状が変形することが防止される。なお、流入管路外郭部６１と方向変換流路外郭部６２の一部を含む管状部５１は、先端部２１の表面から露出することなく、先端部２１内に収容されているため、外部からの応力の影響を受けないようになっている。
【００３７】
これに加えて、内視鏡用洗浄ノズル５０は、上述したように、方向変換流路外郭部６２の方向変換流路６５が流入管路外郭部６１の流路６４から整流路外郭部６３の整流路６６に向けて段差なく連続的に滑らかに孔断面が扁平となるように変形した形状となっている。
【００３８】
このような構成により、挿入部１１に配設されるチューブ４３および先端部２１に挿嵌する流体管４２を介して流路６４から供給された流体に乱流が生じることなく滑らかに整流路６６まで流れる。そのため、内視鏡用洗浄ノズル５０内に流れる流体は、内視鏡用洗浄ノズル５０のノズル開口部５５から先端部２１の観察窓３４に向けて良好に噴出される。これにより、確実に観察窓３４の洗浄が行なえる。
【００３９】
さらに、内視鏡用洗浄ノズル５０は、外部から応力が加えられたとしても、露出する部位が十分な剛性を備えているため、内部の流路の形状が変形し難く、且つ段差なく連続的に滑らかな流路が形成されているため、内部の流路に残水が生じず、送水から送気に切り替えたときに、観察窓３４に向けて水滴が噴出されることもなく非常に水切れが良い構成となっている。
【００４０】
なお、本実施の形態の内視鏡用洗浄ノズル５０では、上述したように、流入管路外郭部６１の流路６４と整流路外郭部６３の整流路６６の各孔軸に直交し、ノズル開口部５５の開口面に平行な軸Ｏに沿った方向へ徐々に拡がるように扁平形成され、この軸Ｏ回りに湾曲するように変換する方向変換流路６５が形成されている。このような形状の方向変換流路６５としたことで、内部を通過する流体に乱流が生じることなく滑らかに整流路６６まで流れ、特に内部の方向変換流路６５に残水が生じない水切れが良い構成となる。
【００４１】
さらに、方向変換流路６５の最小断面積位置を流入管路外郭部６１の長手軸に直交する面に対して、整流路６６側に４５度以上傾けた位置としたことによっても、内視鏡用洗浄ノズル５０は、方向変換流路６５内部を通過する流体に乱流が生じることなく滑らかに整流路６６まで流れ、特に内部の方向変換流路６５に残水が生じない水切れが良い構成となる。
【００４２】
また、内視鏡用洗浄ノズル５０は、図１４に示したように、流入管路外郭部６１の開口端部分に、ノズル保護部材４１の内周面４１ａと段差なく接合面が一致するように、ノズル保護部材４１との接続側の端部開口に向けて所定の角度θ２を有して拡がるようにテーパ面６１ａが形成されている。この構成により、ノズル保護部材４１から流路６４への流体に乱流が生じることなく滑らかに流れる構成となっている。
【００４３】
なお、内視鏡用洗浄ノズル５０がノズル保護部材４１に挿嵌した状態において、ノズルヘッド５２とノズル保護部材４１の対向する夫々の端面間に所定の距離だけ離間する隙間ｄが設けられるように、流入管路外郭部６１の端面が当接するノズル保護部材４１の段部の位置が設定されている。この構成により、組み付け時の余分な接着剤が隙間ｄに流れて、不要な接着剤の量が減り、接着剤の拭き取り作業のときに、ノズル開口部５５から整流路６６内に流れ込むことを防止することができる。
【００４４】
また、内視鏡用洗浄ノズル５０は、上述したように、管状部５１の外周一部分に凹部５３が形成されており、この凹部５３の平面部に金型における射出成型時の材料の注入口５４が配置される。この構成の利点として、射出成形時に発生するゲート残り（バリ）が凹部５３内に収まるため、このゲート残りを除去する研磨加工などの２次加工をしなくとも、内視鏡用洗浄ノズル５０の内視鏡２への組み付けが行なえる。この構成により、内視鏡用洗浄ノズル５０は、製造コストが低減され、安価に製造することができる。
【００４５】
そして、内視鏡用洗浄ノズル５０は、管状部５１が先端部２１内に挿嵌されるため、ゲート残りが内視鏡２の外表面となるノズルヘッド５２の表面、つまり、生体と接触する部位（面）に設けていないため、ゲート残りにより体内粘膜を擦りつけたりして損傷する虞も防止される。
【００４６】
なお、管状部５１に凹部５３を形成しないで、管状部５１の外周部に注入口５４を配置した構成としても、勿論、構わない。さらに、管状部５１に注入口５４を配置した利点として、本実施の形態のように、メタルインジェクション（ＭＩＭ）製法の場合、材料注入のときに、その圧力によって変形し難い最も直径の大きな流路６４を形成するコアがある位置となる。つまり、最も太径（肉厚）のコアがある位置、特に流入管路外郭部６１の外周部に、内視鏡用洗浄ノズル５０成型時の注入口５４を配置することが好ましい。これにより、内視鏡用洗浄ノズル５０は、射出成型時において、形成された内部流路の形状の影響が少なくなり、歩留まりが向上する。
【００４７】
そして、内視鏡用洗浄ノズル５０は、上述したように、ノズル開口部５５の周囲が角部とならないように平面状のテーパまたは曲面状のフィレットの面取り部５５ａが形成されている。この構成の利点として、ノズル開口部５５の周囲が角部となっている場合、内視鏡２の検査前、洗浄時などに先端部２１がガーゼなどで拭かれると、ノズル開口部５５に、ガーゼなどが引っ掛かり、その繊維が整流路６６内に入り込んで、蓄積したり沈着したりする場合があり、流路詰まり、流体の乱流などの原因となる。そのため、内視鏡用洗浄ノズル５０は、ノズル開口部５５にガーゼなどの引っ掛かりを防止するため、ノズル開口部５５の周囲に面取り部５５ａを設けている。
【００４８】
以上の説明から、本実施の形態の内視鏡用洗浄ノズル５０は、如何なる使用環境においても、観察窓３４への流体噴出性能、耐強度性能、および水切れ性能に優れ、内視鏡２の観察視野を長時間良好な状態に維持し、さらには歩留まりが向上して低コスト化に寄与する構成とすることができる。
【００４９】
以上の実施の形態に記載した発明は、その実施の形態、および変形例に限ることなく、その他、実施段階ではその要旨を逸脱しない範囲で種々の変形を実施し得ることが可能である。さらに、上記実施の形態には、種々の段階の発明が含まれており、開示される複数の構成要件における適宜な組合せにより種々の発明が抽出され得るものである。
【００５０】
例えば実施の形態に示される全構成要件から幾つかの構成要件が削除されても、述べられている課題が解決でき、述べられている効果が得られる場合には、この構成要件が削除された構成が発明として抽出され得るものである。
【符号の説明】
【００５１】
１…内視鏡システム
２…内視鏡
５…光源装置
６…ビデオプロセッサ
７…モニタ
１１…挿入部
１２…操作部
１３…ユニバーサルケーブル
１４…光源コネクタ
１５…電気ケーブル
１６…電気コネクタ
２０…操作部本体
２１…先端部
２２…湾曲部
２３…可撓管部
３０…先端カバー
３４…観察窓
４０…先端硬質部
４１…ノズル保護部材
４１ａ…内周面
４２…流体管
４３…チューブ
４４…外皮
４５…管状部材
５０…内視鏡用洗浄ノズル
５１…管状部
５２…ノズルヘッド
５３…凹部
５４…注入口
５５…ノズル開口部
５５ａ…面取り部
６１…流入管路外郭部
６１ａ…テーパ面
６２…方向変換流路外郭部
６３…整流路外郭部
６４…流路
６５…方向変換流路
６６…整流路
ｄ…隙間
Ｏ…軸
θ１…角度
【図１】
0005395030.tif 000002
【図２】
0005395030.tif 000003
【図３】
0005395030.tif 000004
【図４】
0005395030.tif 000005
【図５】
0005395030.tif 000006
【図６】
0005395030.tif 000007
【図７】
0005395030.tif 000008
【図８】
0005395030.tif 000009
【図９】
0005395030.tif 000010
【図１０】
0005395030.tif 000011
【図１１】
0005395030.tif 000012
【図１２】
0005395030.tif 000013
【図１３】
0005395030.tif 000014
【図１４】
0005395030.tif 000015
【図１５】
0005395030.tif 000016
【図１６】
0005395030.tif 000017